(57)【要約】【課題】灸材が不用意に消火することなく、灸材から発生する熱を肌に当てる押圧部へ十分に伝達され、しかも手で持つ部分が過熱状態になってしまうことがなく、さらに灸材が飛散するおそれがない温灸器及び温灸器用の灸材を提供する。【解決手段】押圧部材１７が暖まったところで外側筒状体３を持って交換キャップ３５が嵌められている押圧部材１７を肌に押し当てて灸治療を行う。外側筒状対３と内側筒状体５との間には隙間が設けられているので、外側筒状体３が手で持てない程の過熱状態になるのを防止することができる。モグサスティックＭは温灸器１に収容された状態で燃焼するので、燃焼部が露出することなく、安全に温灸治療を行うことができる。【選択図】        図１
2006333881.tif 000002
【特許請求の範囲】
【請求項１】
外側筒状体と、前記外側筒状体に収容された内側筒状体と、前記外側筒状体に収容され内側筒状体の内周面との間に隙間を開けて備えられ、先端部、後端部及び内側筒状体内周面に対向する部分に開口を有する収容体と、前記収容体の先端に設けられて外側筒状体の先端側開口から突出し、通気口を有する先端支持部材と、前記内側筒状体の先端部に取り付けられ、先端支持部材を囲む位置に配置され、且つ外側筒状体の先端側開口から突出する熱伝達部材と、前記熱伝達部材の先端に取り付けられた押圧部材と、前記外側筒状体の後端側開口に取り付けられる通気口を備えた蓋体とを具備することを特徴とする温灸器。
【請求項２】
請求項１に記載した温灸器において、収容体はコイルバネによって構成されていることを特徴とする温灸器。
【請求項３】
請求項１または２のいずれかに記載した温灸器において、熱伝達部材はコイルバネによって構成されていることを特徴とする温灸器。
【請求項４】
押圧部材の熱伝達部材に接触する部分には熱伝導性材料によって構成される接触部材が設けられていることを特徴とする温灸器。
【請求項５】
請求項１〜４に記載した温灸器において、押圧部材には通気口が形成されていることを特徴とする温灸器。
【請求項６】
請求項１〜５に記載した温灸器において、押圧部材に被せる交換キャップを備えたことを特徴とする温灸器。
【請求項７】
請求項１〜６に記載した温灸器に使用する灸材であって、モグサ等の燃焼物と、前記燃焼物に糊剤を添加して、棒状に成形固化させたことを特徴とする温灸器用の灸材。
【発明の詳細な説明】
【技術分野】
【０００１】
本発明はモグサ等の灸材を燃焼させて熱源とする灸治療用の温灸器及び当該温灸器用の灸材に関するものである。
【背景技術】
【０００２】
灸治療は古くからモグサ等の灸材を肌に直接載せて着火する方法が採られていたが、この方法は患者が相当に熱く感じるため敬遠されることが多い。このため、灸材を熱源として加温される押圧部を備えた温灸器が用いられている。この種の温灸器は筒状体に灸材を収容して、この灸材を燃焼させる構造となっているものが殆どある。
【発明の開示】
【発明が解決しようとする課題】
【０００３】
しかしながら、筒状体に灸材を収容するため、酸欠状態となって不用意に消火してしまったり、灸材から発生する熱が押圧部へ十分に伝達されなかったりしてしまう問題がある。
また、この種の温灸器は手で持って使用するが、長時間使用すると手で持つ部分が過熱状態になってしまい、素手で持つことができなくなるものもある。
さらに、従来の温灸器は扱い方によっては灸材が飛散したりするおそれがあり、灸治療業に従事する者が安全に使用できないおそれがある。また、灸材に着火してから温灸器の押圧部が暖まるまでに相当の時間を要し、使い勝手が悪いものもある。
本発明は上記従来の問題点に着目して為されたものであり、灸材が不用意に消火することなく、灸材から発生する熱を肌に当てる押圧部へ十分に伝達され、しかも手で持つ部分が過熱状態になってしまうことがなく、さらに灸材が飛散するおそれがなくて、しかも短時間で押圧部が暖まる温灸器及び温灸器用の灸材を提供することを目的とする。
【課題を解決するための手段】
【０００４】
本発明は上記課題を解決するためになされたものであり、請求項１の発明は、外側筒状体と、前記外側筒状体に収容された内側筒状体と、前記外側筒状体に収容され内側筒状体の内周面との間に隙間を開けて備えられ、先端部、後端部及び内側筒状体内周面に対向する部分に開口を有する収容体と、前記収容体の先端に設けられて外側筒状体の先端側開口から突出し、通気口を有する先端支持部材と、前記内側筒状体の先端部に取り付けられ、先端支持部材を囲む位置に配置され、且つ外側筒状体の先端側開口から突出する熱伝達部材と、前記熱伝達部材の先端に取り付けられた押圧部材と、前記外側筒状体の後端側開口に取り付けられる通気口を備えた蓋体とを具備することを特徴とする温灸器である。
【０００５】
請求項２の発明は、請求項１に記載した温灸器において、収容体はコイルバネによって構成されていることを特徴とする温灸器である。
【０００６】
請求項３の発明は、請求項１または２のいずれかに記載した温灸器において、熱伝達部材はコイルバネによって構成されていることを特徴とする温灸器である。
【０００７】
請求項４の発明は、押圧部材の熱伝達部材に接触する部分には熱伝導性材料によって構成される接触部材が設けられていることを特徴とする温灸器である。
【０００８】
請求項５の発明は、請求項１〜４に記載した温灸器において、押圧部材には通気口が形成されていることを特徴とする温灸器である。
【０００９】
請求項６の発明は、請求項１〜５に記載した温灸器において、押圧部材に被せる交換キャップを備えたことを特徴とする温灸器である。
【００１０】
請求項７の発明は、請求項１〜６に記載した温灸器に使用する灸材であって、モグサ等の燃焼物と、前記燃焼物に糊剤を添加して、棒状に成形固化させたことを特徴とする温灸器用の灸材である。
【発明の効果】
【００１１】
本発明の温灸器、及び温灸器用の灸材によれば、灸材が不用意に消火するのを防止できる。また、灸材から発生する熱を肌に当てる押圧部へ十分に伝達することが可能となる。さらに、手で持つ部分が過熱状態になってしまうのを防止することができる。また、灸材が飛散するおそれがなく、だれにでも安全に使用することが可能である。しかも短時間で押圧部が暖まり、使い勝手が向上する。
【発明を実施するための最良の形態】
【００１２】
本発明の実施の形態に係る温灸器１を図１〜図５にしたがって説明する。
符号３は円筒形の外側筒状体を示し、この外側筒状体３は不燃性のプラスチックによって構成されている。外側筒状体３にはアルミニウム合金製の内側筒状体５が収容されており、この内側筒状体５は支持ビス７を介して外側筒状体３に支持されている。内側筒状体５は円筒形で、その外径寸法は外側筒状体３の内径寸法より一回り小さく形成され、内側筒状体５の外周面と外側筒状体３の内周面との間には隙間が開いている。
【００１３】
内側筒状体５には収容体としてのコイルバネ９が収容されており、このコイルバネ９は支持ビス１１を介して内側筒状体５に支持されている。コイルバネ９の外径寸法は、内側筒状体５の内径寸法より一回り小さく形成され、コイルバネ９の外周面と内側筒状体５の内周面との間には隙間が開いている。
符号１３は先端支持部材としての金網容器を示し、この金網容器１３の開口側がコイルバネ９に取り付けられている。金網容器１３は前記のように金網によって形成されているので、多数の通気口を有している。
【００１４】
内側筒状体５の先端部には熱伝達部材としてのコイルバネ１５が取り付けられており、このコイルバネ１５は金網容器１３を囲む位置に備えられている。
符号１７は押圧部材を示し、この押圧部材１７は底部１９を有する円筒形で、コイルバネ１５に嵌合する内径寸法に形成されている。押圧部材１７の底部１９の中心には通気口としての丸穴２１が形成されている。また押圧部材１７の内面には銅板製の接触部材２３が貼られている。
【００１５】
符号２５は蓋を示し、この蓋２５は外側筒状体３の後端部に取り付けられるものである。蓋２５の構造について説明する。長さ寸法の短い円筒状の蓋本体２７は外側筒状体３と同じ外径寸法に形成され、丸穴２９には金網３１が張られている。丸穴２９には嵌合筒部３３が挿入され、この嵌合筒部３３の先端部は丸穴２９の中程まで入り込み固定されている。嵌合筒部３３は内側筒状体５内へピッタリ嵌り込む外形寸法となっている。
【００１６】
符号３５は薄手の不燃性の合成紙により成る交換キャップを示し、この交換キャップは押圧部材１７に被せるものである。交換キャップ３５の構造について説明する。交換キャップ３５は底部３７を有し、この底部３７には丸穴３９が形成されている。丸穴３９は押圧部材１７の丸穴２１に対向する大きさに形成されている。
符号４１は金属製の消火筒を示し、この消火筒４１は底部を有する円筒によって構成されている。消火筒４１の長さ寸法は温灸器１のそれより若干大きく、且つその内径寸法は温灸器１のそれより僅かに大きく設定されている。
【００１７】
符号Ｍは温灸用灸材としてのモグサスティックを示し、このモグサスティックＭは温灸器１用に開発されたもので、バラモグサをデンプン系の糊料を用いて棒状に成形したものである。このモグサスティックＭの製造方法については後述する。
【００１８】
次に、この温灸器１の使用方法について説明する。
蓋２５の嵌合筒部３３を内側筒状体５から抜き、蓋２５を外して、モグサスティックＭの先端部にライター等を用いて着火し、モグサスティックＭを内側筒状体５へ挿入する。モグサスティックＭの火が付いている先端部は金網容器１３内に位置するので、モグサスティックＭの熱はコイルバネ１５に伝達される。コイルバネ１５は金網容器１３の先端部を囲むように備えられているので、モグサスティックＭの熱は効率よくコイルバネ１５に伝達され、さらに熱はコイルバネ１５から接触部材２３を介して押圧部材１７に伝えられて、押圧部材１７が短時間で暖められる。押圧部材１７が灸治療に適した５０℃に到達するまでの時間は、火の付いたモグサスティックＭを内側筒状体５へ入れてからおよそ１分である。
【００１９】
押圧部材１７が暖まったところで外側筒状体３を持って、図３に示すように交換キャップ３５が嵌められている押圧部材１７を肌に押し当てて灸治療を行う。
外側筒状対３と内側筒状体５との間には隙間が設けられているので、モグサスティックＭの熱が外側筒状体３へは伝わり難く、外側筒状体３が手で持てない程の過熱状態になるのを防止することができる。
なお、交換キャップ３５は治療を受ける者が変わる度に交換するので、衛生的である、また、この交換キャップ３５は薄手の合成紙によって構成されているので、押圧部材１７の熱が患部へ伝達されるのを妨げることはない。
【００２０】
また、コイルバネ１５は押圧部材１７を肌に押し当てると、圧縮方向へ弾性変形する。従って、交換キャップ３５は肌に対して適度な圧力で密着することになり、熱が患部にむらなく確実に伝えられる。従って、高い温灸効果を得ることができる。
また、モグサスティックＭは温灸器１に収容された状態で燃焼するので、燃焼部が露出せず、また火の着いたモグサスティックＭが不用意に飛散するようなことはなく、安全に温灸治療を行うことができる。
【００２１】
なお、モグサスティックＭに付いている火を消す場合には、図４に示すように、温灸器１を、押圧部材１７側を下にして消火筒４１へ入れ、消火筒４１を立てておく。このような状態にするとモグサスティックＭの先端部への空気の供給が絶たれて、二、三分で完全に消火される。またモグサスティックＭに水をかけることなく消火できるので、モグサスティックＭに再度火を付ければ使用することが可能である。
また、図５に示すように、温灸器１の先端部と基端部にそれぞれ消火キャップ４３、４５を嵌めることによって消火するようにしてもよい。
【００２２】
次に、モグサスティックＭの製造方法について説明する。
（材料の配合比）
バラモグサ    ６０重量部
デンプン糊  １００重量部
水          ２００重量部
【００２３】
上記のデンプン糊に水を加え混合し、さらにバラモグサを加えて練るようにして混合し、原料ペーストを得る。
上記原料ペーストは木製の形を作るための成形型に入れて成形する。この成形型は、長方形の２枚の板を蝶番によって開閉自在に連結したもので、２枚の板の対向面に凹部が形成されている。この板は厚さ寸法１５ｍｍ、幅寸法５０ｍｍ、長さ寸法１２０ｍｍであり、原料ペーストを入れる凹部は円柱を縦方向に二分割した形状で、２つの凹部を合わせると直径７．０ｍｍ、長さ寸法が１００ｍｍの円柱状の空洞が形成される。
【００２４】
上記原料ペーストを１０ｇ取り、これを手で棒状に成形した後、成形型の一方側の凹部へ入れる。そして、型を閉じて２つの凹部を合わせることによって、円柱形の空洞部を形成して原料ペーストを円柱状に成形する。この際、棒状にした原料ペーストが空洞部から はみ出さないように注意する。
次いで、型が開かないように万力等を用いて、２枚の板を閉じた状態に固定する。そして、約４０℃の温風を型に３時間程度吹き付けて、型内の原料ペーストを乾燥し、モグサスティックＭの半製品を得る。この半製品の長さ寸法はほぼ１００ｍｍで、直径は７．５〜８．０ｍｍとなり、直径が乾燥前のものより２０〜２５％減少する。
【００２５】
次に、半製品の形を整えるための整形型へ入れる。この整形型は形をつくるための成形型とほぼ同じ構造であるが、２枚の板に形成された凹部を合わせて形成される円柱状の空洞部のサイズが直径７．５ｍｍ、長さ１００ｍｍである点が異なる。
前記半製品を整形型の空洞部へ収容して、万力等で締め付けて整形する。この整形作業を２〜３回繰り返した後、半製品を整形型から取り出して、３０〜４０℃の温風を吹きかけてよく乾燥し、完成品としてのモグサスティックＭを得る。
【００２６】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、内側筒状体５の外周面と外側筒状体３の内周面との間に隙間を開ける構成としたが、本発明はこれに限定されず、この隙間に断熱材を備える構成としてもよい。
【００２７】
また、収容体をコイルバネ９によって構成する他、外周に多数の穴のある筒状体等によって構成してもよい。
上記実施の形態においては、外側筒状体３を不燃性のプラスチックによって構成したが、アルミニウム合金等の金属、不燃処理或いは難燃処理を施した木材等によって構成してもよい。また、内側筒状体５をアルミニウム合金によって構成したが、これ以外の金属、その他セラミック等によって構成してもよい。
なお、モグサスティックＭの材料の配合比は上記したものには限定されず、例えば糊料の量を少なくし成形時の加熱温度を高くする等して成形してもよい。
【図面の簡単な説明】
【００２８】
【図１】本発明の実施の形態に係る温灸器の分解斜視図である。
【図２】図１の温灸器の断面図である。
【図３】図１の温灸器の使用方法を説明するための図である。
【図４】図１の温灸器に収容されているモグサスティックの火を消火筒を用いて消す方法を説明するための斜視図である。
【図５】図１の温灸器に収容されているモグサスティックの火を消火キャップを用いて消す方法を説明するための斜視図である。
【符号の説明】
【００２９】
１  温灸器          ３  外側筒状体      ５  内側筒状体
７  支持ビス        ９  収容体としてのコイルバネ
１１  支持ビス      １３  先端部支持部材としての金網容器
１５  熱伝達部材としてのコイルバネ      １７  押圧部材
１９  底部      ２１  丸穴      ２３  接触部材
２５  蓋        ２７  蓋本体      ２９  丸穴
３１  金網      ３３  嵌合筒部      ３５  交換キャップ
３７  底部      ３９  丸穴      ４１  消火筒
４３、４５  消火キャップ
Ｍ  温灸用灸材としてのモグサスティック
【図１】
2006333881.tif 000003
【図２】
2006333881.tif 000004
【図３】
2006333881.tif 000005
【図４】
2006333881.tif 000006
【図５】
2006333881.tif 000007